(57)【特許請求の範囲】
【請求項１】
複数台の給紙カセットを備える画像形成装置であって、
前記給紙カセットが開かれたことを検出する給紙カセット開検出手段と、
前記給紙カセットに対応する用紙情報設定画面を表示する用紙情報画面処理手段と、
開かれた前記給紙カセットが閉じられたときに前記給紙カセットに収納された用紙の紙紋が変化したことを検出すると紙紋変化検出通知を前記用紙情報画面処理手段に出力する紙紋変化検出手段と
を備え、
前記用紙情報画面処理手段は、前記紙紋変化検出通知が入力されたときに前記給紙カセットに対応する前記用紙情報設定画面を表示し、
前記用紙情報画面処理手段は、前記紙紋変化検出通知が入力されなかったときに前記給紙カセット以外の開閉されなかった前記給紙カセットに対応する用紙情報表示画面を表示することを特徴とする画像形成装置。
【請求項２】
前記紙紋変化検出手段は、用紙の紙紋が変化したことを検出すると紙紋の変化量を検出し、前記変化量を前記用紙情報画面処理手段に出力し、
前記用紙情報画面処理手段は、前記紙紋変化検出手段から前記紙紋変化検出通知と前記紙紋の前記変化量を入力すると、前記変化量が予め設定された変化量以上であるときに前記用紙情報設定画面を表示し、前記変化量が予め設定された変化量未満であるときに前記用紙情報設定画面を表示しないことを特徴とする請求項１に記載の画像形成装置。
【請求項３】
前記用紙情報表示画面は、複数台の前記給紙カセットの給紙カセット情報が表示されることを特徴とする請求項１又は２に記載の画像形成装置。
【発明の詳細な説明】
【技術分野】
【０００１】
本発明は、用紙を収納する給紙カセットを備えた画像形成装置に関する。
【背景技術】
【０００２】
プリンター、多機能プリンター、多機能周辺装置又は複合機（Multifunction Peripheral、MFP）である画像形成装置は、感光体上に形成された原稿の静電潜像を現像装置から供給されるトナーによって現像し、このトナー像を給紙カセットから取り出した用紙に転写して定着を行い、トナー像が転写された用紙を画像形成装置から排出する。このように原稿が用紙に印刷される過程において、給紙カセットから用紙が取り出されるので、ユーザーは、用紙が少なくなったとき若しくは無くなったときに給紙カセットに用紙を補給し、又は別のサイズや種類の用紙で印刷を行うときに給紙カセットの用紙を別の用紙に入れ替える。しかし、ユーザーが別のサイズや種類の用紙で印刷を行うときに、用紙のサイズや種類の設定が以前のままの状態で印刷を行うと、誤った用紙を供給することによるミスコピーが発生する。このため、例えば、特許文献１に開示された画像形成装置では、給紙カセットに収容された画像記録用紙の紙質、厚さ、サイズ等の用紙情報を記憶し、ユーザーが給紙カセットに対する操作を行った場合などの所定の条件が成立したときに、記憶された用紙情報を表示し、用紙情報の設定又は変更があると、ユーザーが記憶した用紙情報を書き換えることでミスコピーを防止している。
【先行技術文献】
【特許文献】
【０００３】
【特許文献１】特開２００２−２７８３７７号公報
【発明の概要】
【発明が解決しようとする課題】
【０００４】
しかし、特許文献１で開示された画像形成装置は、ユーザーが給紙カセットの用紙が少なくなっているかを確認するために給紙カセットを開閉する操作を行った場合、又は用紙を補充や入れ替えるときに誤って他の給紙カセットを開閉する操作を行った場合でも、用紙情報が表示されるので、煩わしいという問題があった。
【０００５】
本発明はこのような状況に鑑みてなされたものであり、上記課題を解決できる画像形成装置を提供することを目的とする。
【課題を解決するための手段】
【０００６】
本発明の画像形成装置は、複数台の給紙カセットを備える画像形成装置であって、前記給紙カセットが開かれたことを検出する給紙カセット開検出手段と、前記給紙カセットに対応する用紙情報設定画面を表示する用紙情報画面処理手段と、開かれた前記給紙カセットが閉じられたときに前記給紙カセットに収納された用紙の紙紋が変化したことを検出すると紙紋変化検出通知を前記用紙情報画面処理手段に出力する紙紋変化検出手段とを備え、前記用紙情報画面処理手段は、前記紙紋変化検出通知が入力されたときに前記給紙カセットに対応する前記用紙情報設定画面を表示し、前記用紙情報画面処理手段は、前記紙紋変化検出通知が入力されなかったときに前記給紙カセット以外の開閉されなかった前記給紙カセットに対応する用紙情報表示画面を表示することを特徴としている。
また、本発明の画像形成装置の前記紙紋変化検出手段は、用紙の紙紋が変化したことを検出すると紙紋の変化量を検出し、前記変化量を前記用紙情報画面処理手段に出力し、前記用紙情報画面処理手段は、前記紙紋変化検出手段から前記紙紋変化検出通知と前記紙紋の前記変化量を入力すると、前記変化量が予め設定された変化量以上であるときに前記用紙情報設定画面を表示し、前記変化量が予め設定された変化量未満であるときに前記用紙情報設定画面を表示しないことを特徴としている。
また、本発明の画像形成装置の前記用紙情報表示画面は、複数台の前記給紙カセットの給紙カセット情報が表示されることを特徴としている。
【発明の効果】
【０００７】
本発明は、用紙のサイズや種類を設定する画面（以下、「用紙情報設定画面」という）を表示する必要があるかを判断し、必要があると判断されたときに用紙情報設定画面を表示する画像形成装置を提供する。
【図面の簡単な説明】
【０００８】
【図１】本発明の実施形態に係る画像形成装置の外観斜視図である。
【図２】本発明の実施形態に係る画像形成装置の内部構成を示す断面概略図である。
【図３】本発明の実施形態に係る画像形成装置の機能構成を示す制御ブロック図である。
【図４】本発明の実施形態に係る用紙情報設定画面と用紙情報表示画面の画面フォーマット図である。
【図５】本発明の実施形態に係る用紙情報画面処理の流れを示すフローチャートである。
【発明を実施するための形態】
【０００９】
以下、本発明を実施するための形態（以下、「実施形態」という）を、図面を参照して説明する。実施形態の画像形成装置１は、プリンター、多機能プリンター、多機能周辺装置又は複合機等の画像を形成する画像形成装置であり、図１を参照すると、原稿読取部２と、原稿給送部３と、本体部４と、操作部５とを備えている。原稿読取部２は、本体部４の上部に配設され、原稿給送部３は、原稿読取部２の上部に配設されている。
【００１０】
画像形成装置１の手前側には、画像形成装置１の設定や動作指示を行う操作部５が配設されている。操作部５は、液晶表示部５１、操作ボタン５２が設けられている。ユーザーは操作部５を操作して指示を入力することで、画像形成装置１の各種の設定を行い、画像形成等の各種機能を実行させる。液晶表示部５１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成の開始を指示するスタートボタン、画像形成の中止を指示するストップ／クリアボタン、画像形成装置１の各種設定をデフォルト状態にする際に使用するリセットボタン、テンキー等が設けられている。
【００１１】
原稿読取部２は、図２を参照すると、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿ＭＳ（manuscript）の搬送方向に移動可能に構成されている。原稿読取スリット２３は、原稿給送部３による原稿ＭＳの搬送方向と直交する方向に形成されたスリットである。
【００１２】
原稿給送部３は、原稿載置部３１と、原稿排出部３２と、原稿搬送機構３３とを備えている。原稿載置部３１にセットされた原稿ＭＳは、原稿搬送機構３３によって、１枚ずつ順次繰り出されて原稿読取スリット２３に対向する位置へ搬送され、その後、原稿排出部３２に排出される。また、原稿給送部３と原稿読取部２とは、画像形成装置１の奥側でヒンジ機構によって接続されており、原稿給送部３は、プラテンガラス２２上面を開閉するプラテンカバーとして機能する。原稿給送部３を上方に開くことで、プラテンガラス２２上面が開放され、プラテンガラス２２に原稿ＭＳをセットできる状態となる。
【００１３】
原稿載置部３１に原稿ＭＳがセットされていない状態や、原稿給送部３（プラテンカバー）が開いた開状態で、操作部５の操作ボタン５２によって原稿ＭＳの読み取りが指示されると、プラテンガラス２２にセットされた原稿ＭＳが読み取られる。プラテンガラス２２に載置された原稿ＭＳを読み取る場合には、スキャナー２１は、プラテンガラス２２に対向する位置に移動され、プラテンガラス２２にセットされた原稿ＭＳを主走査方向と直交する副走査方向に副走査方向基準線Ｂから走査しながら読み取って画像データを取得し、取得した画像データを本体部４内にある制御部７（図３）に出力する。
【００１４】
原稿載置部３１に原稿ＭＳがセットされた状態で、操作部５の操作ボタン５２によって原稿ＭＳの読み取りが指示されると、原稿給送部３により搬送される原稿ＭＳが読み取られる。原稿ＭＳは、表面（原稿画像を読み取る面）を上にして原稿載置部３１にセットされる。そして、原稿載置部３１にセットされた原稿ＭＳは、原稿給送部３によって左側から搬送され、原稿ＭＳの表面が原稿読取スリット２３と対向位置に導かれる。また、スキャナー２１は、原稿給送部３により搬送された原稿ＭＳを読み取る場合、原稿読取スリット２３と対向する位置に移動され、原稿読取スリット２３を介し、原稿給送部３による搬送動作と同期して原稿ＭＳを読み取って画像データを取得し、取得した画像データを本体部４内にある制御部７（図３）に出力する。
【００１５】
本体部４は、記録部６を備えると共に、給紙カセット４１ａと、給紙カセット４１ｂと、給紙カセット４１ｃと、給紙カセットローラー４２ａと、給紙カセットローラー４２ｂと、給紙カセットローラー４２ｃと、用紙搬送路４３と、レジストローラー４４と、排出ローラー４５とを備えている。
給紙カセット４１ａは、複数枚の用紙Ｐが収納される給紙カセットであり、給紙カセットローラー４２ａは、給紙カセット４１ａから用紙Ｐを１枚ずつ用紙搬送路４３に繰り出す。給紙カセットローラー４２ａによって用紙搬送路４３に繰り出された用紙Ｐは、レジストローラー４４によって記録部６に搬送される。給紙カセット４１ｂは、給紙カセット４１ａと同様に複数枚の用紙Ｐが収納される給紙カセットであり、給紙カセットローラー４２ｂは、給紙カセット４１ｂから用紙Ｐを１枚ずつ用紙搬送路４３に繰り出す。給紙カセットローラー４２ｂによって用紙搬送路４３に繰り出された用紙Ｐは、レジストローラー４４によって記録部６に搬送される。給紙カセット４１ｃは、給紙カセット４１ａと同様に複数枚の用紙Ｐが収納される給紙カセットであり、給紙カセットローラー４２ｃは、給紙カセット４１ｃから用紙Ｐを１枚ずつ用紙搬送路４３に繰り出す。給紙カセットローラー４２ｃによって用紙搬送路４３に繰り出された用紙Ｐは、レジストローラー４４によって記録部６に搬送される。レジストローラー４４は、給紙カセット４１ａ、給紙カセット４１ｂ及び給紙カセット４１ｃから供給される用紙Ｐの先端と原稿から読み取った画像の先端を合わせるように用紙Ｐを搬送する。
そして、記録部６によって記録が施された用紙Ｐは、排出ローラー４５によって、原稿読取部２と本体部４との間に形成された排出空間４６に排出される。このように、給紙カセットローラー４２ａ、給紙カセットローラー４２ｂ、給紙カセットローラー４２ｃ、レジストローラー４４及び排出ローラー４５は、用紙Ｐの搬送部として機能する。
【００１６】
また、給紙カセット４１ａ、給紙カセット４１ｂ及び給紙カセット４１ｃの各々には開閉センサー（図示せず）及び紙紋センサー（図示せず）が取り付けられている。
各々の開閉センサーは、給紙カセット４１ａ、給紙カセット４１ｂ又は給紙カセット４１ｃが開かれると、開かれた給紙カセット４１ａ、給紙カセット４１ｂ又は給紙カセット４１ｃが設置されている「上段」、「中段」及び「下段」の位置を設定した開検出通知を本体部４内にある制御部７（図３）に出力する。また、開閉センサーは、給紙カセット４１ａ、給紙カセット４１ｂ又は給紙カセット４１ｃが閉じられると、閉検出通知を本体部４内にある制御部７（図３）に出力する。
各々の紙紋変化検出センサーは、開かれた給紙カセット４１ａ、給紙カセット４１ｂ又は給紙カセット４１ｃが閉じられたときに、給紙カセット４１ａ、給紙カセット４１ｂ又は給紙カセット４１ｃに収納されている用紙Ｐが補充または入れ替えられることにより紙紋が変化したことを検出すると、紙紋変化検出通知を本体部４内にある制御部７（図３）に出力する。なお、紙紋には、用紙の種類、具体的には平面紙、粗面紙、透明紙、ベラム紙、ラベル紙、再生紙などの紙質や色、サイズなどで異なる紙の紋いわゆる紙紋の他に、用紙の補充の場合は、用紙の補充も紙紋が変化したものとする。
【００１７】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を用紙Ｐに転写させる。定着部６６は、転写部６５によってトナー像が転写された用紙Ｐを加熱してトナー像を用紙Ｐ又は用紙Ｐに定着させる。そして感光体ドラム６１上に残存するトナーは、クリーニング部６７によって除去される。
【００１８】
図３には、画像形成装置１の概略制御構成を示す制御ブロック図が示されている。上述の原稿読取部２、原稿給送部３、搬送部（給紙カセットローラー４２ａ、給紙カセットローラー４２ｂ、給紙カセットローラー４２ｃ、レジストローラー４４、排出ローラー４５）、操作部５、記録部６、記憶部８及び通信部９は、制御部７に接続され、制御部７によって動作制御される。制御部７は、用紙情報画面処理部７１を備えている。
【００１９】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。
用紙情報画面処理部７１は、用紙情報設定画面の表示が必要であるか否かを判断し、必要であると判断されたときには用紙情報設定画面を液晶表示部５１に表示する。用紙情報画面処理部７１の処理詳細については、後述する。
【００２０】
記憶部８は、半導体メモリーやＨＤＤ（Hard Disk Drive）等の記憶手段であり、スキャナー２１によって読み取られた原稿ＭＳの画像データが記憶されると共に、各種の管理情報や設定情報が記憶されている。
また、記憶部８には、各々の給紙カセット４１ａ、給紙カセット４１ｂ及び給紙カセット４１ｃの位置、名称並びに収納されている用紙のサイズと種類などの情報（以下、「給紙カセット情報」という）が記憶されている。
【００２１】
通信部９は、ＬＡＮ等のネットワーク１０を介して、パーソナルコンピュータ等の周辺機器１１や、他の画像形成装置１ａとの間で各種データを送受信する機能を有する。また、通信部９は、ネットワーク１０及びルーター１２を介してインターネット１３に接続可能に構成されている。そして通信部９は、インターネット１３に接続されている各種通信機器との間で各種データを送受信する機能を有する。
【００２２】
次に、画像形成装置１の用紙情報画面処理部７１により表示される図４（１）に示す用紙情報設定画面８１と図４（２）に示す用紙のサイズや種類を表示する画面（以下、「用紙情報表示画面」という）８２の画面フォーマットについて説明する。
【００２３】
用紙情報設定画面８１は、用紙情報画面処理部７１が給紙カセット４１ａ、給紙カセット４１ｂ又は給紙カセット４１ｃのいずれか（以下、「給紙カセット」という）の開閉を検出し、給紙カセットに取り付けられている紙紋変化検出センサーから紙紋変化検出通知が入力されたときに表示される画面である。用紙情報設定画面８１には、図４（１）に示すように「給紙カセット名称」表示エリア８１ａ、「用紙サイズ」入力エリア８１ｂ、「用紙種類」表示エリア８１ｃ、「用紙種類選択」操作エリア８１ｄ及び「ＯＫ」ボタン８１ｅが設けられている。
「給紙カセット名称」表示エリア８１ａは、開検出通知に設定されている位置の給紙カセットの名称を表示するエリアである。なお、給紙カセットの名称は、記憶部８の給紙カセット情報から取り出す。
「用紙サイズ」入力エリア８１ｂは、「給紙カセット名称」表示エリア８１ａに表示された給紙カセットに収納した用紙のサイズを入力するエリアである。
「用紙種類」表示エリア８１ｃは、ユーザーが「用紙種類選択」操作エリア８１ｄから選択した用紙種類を表示するエリアである。
「用紙種類選択」操作エリア８１ｄは、「給紙カセット名称」表示エリア８１ａに表示された給紙カセットに収納した用紙の種類を選択する操作エリアである。ユーザーが「用紙種類選択」操作エリア８１ｄから選択した用紙の種類は、「用紙種類」表示エリア８１ｃに表示される。
「ＯＫ」ボタン８１ｅは、「用紙サイズ」入力エリア８１ｂから入力された用紙のサイズ、及び「用紙種類選択」操作エリア８１ｄから選択された用紙の種類を、「給紙カセット名称」表示エリア８１ａの給紙カセット名称に対応する記憶部８の給紙カセット情報に記憶し、用紙情報設定画面８１を消去するボタンである。
【００２４】
用紙情報表示画面８２は、用紙情報画面処理部７１が給紙カセットの開閉を検出し、開閉された給紙カセットに取り付けられている紙紋変化検出センサーから紙紋変化検出通知が入力されなかったときに表示される画面である。用紙情報表示画面８２には、図４（２）に示すように「給紙カセット名称」表示エリア８２ａ１、「給紙カセット名称」表示エリア８２ａ２、「用紙サイズ」表示エリア８２ｂ１、「用紙サイズ」表示エリア８２ｂ２、「用紙種類」表示エリア８２ｃ１、「用紙種類」表示エリア８２ｃ２、及び「ＯＫ」ボタン８２ｄが設けられている。なお、「給紙カセット名称」表示エリア８２ａ１、「用紙サイズ」表示エリア８２ｂ１及び「用紙種類」表示エリア８２ｃ１が１台の給紙カセットに関する情報であり、「給紙カセット名称」表示エリア８２ａ２、「用紙サイズ」表示エリア８２ｂ２及び「用紙種類」表示エリア８２ｃ２が別の１台の給紙カセットに関する情報である。
「給紙カセット名称」表示エリア８２ａ１、８２ａ２は、開検出通知に設定されている位置以外の位置に設置されている給紙カセットの名称を表示するエリアである。なお、給紙カセットの名称は、記憶部８の給紙カセット情報から取り出す。
「用紙サイズ」表示エリア８２ｂ１、８２ｂ２は、開検出通知に設定されている位置以外の位置に設置されている給紙カセットの用紙サイズを表示するエリアである。なお、給紙カセットの用紙サイズは、記憶部８の給紙カセット情報から取り出す。
「用紙種類」表示エリア８２ｃ１、８２ｃ２は、開検出通知に設定されている位置以外の位置に設置されている給紙カセットの用紙の種類を表示するエリアである。なお、給紙カセットの用紙種類は、記憶部８の給紙カセット情報から取り出す。
「ＯＫ」ボタン８２ｄは、用紙情報表示画面８２を消去するボタンである。
【００２５】
次に、画像形成装置１の用紙情報画面処理について、図５を用いて説明する。ユーザーが給紙カセットを開くと、開閉センサーは、開かれた給紙カセットの位置を設定した開検出通知を制御部７に出力する。制御部７は、開検出通知を入力すると、用紙情報画面処理部７１を起動し、用紙情報画面処理部７１が用紙情報画面処理を開始する。
【００２６】
（ステップＳ１０１）
まず、用紙情報画面処理部７１は、開検出通知から給紙カセットの位置を取り出す。
【００２７】
（ステップＳ１０２）
次いで、用紙情報画面処理部７１は、制御部７が閉検出通知を入力するまで待ち状態とする。
【００２８】
（ステップＳ１０３）
次いで、用紙情報画面処理部７１は、給紙カセットが閉じられると開閉センサーが閉検出通知を出力するので、閉検出通知を入力する。
【００２９】
（ステップＳ１０４）
次いで、用紙情報画面処理部７１は、給紙カセットが閉じられたときに紙紋変化検出通知が入力されたかを判断する。紙紋変化検出通知が入力されたとき(ステップＳ１０４のＹｅｓ)は、ステップＳ１０５に進む。紙紋変化検出通知が入力されなかったとき(ステップＳ１０４のＮｏ)は、ステップＳ１０６に進む。
【００３０】
（ステップＳ１０５）
ステップＳ１０４のＹｅｓにおいて、用紙情報画面処理部７１は、ステップＳ１０１で取り出した位置の開閉された給紙カセットに対する用紙情報設定画面８１を液晶表示部５１に表示し、用紙情報画面処理を終了する。例えば、ステップＳ１０１で取り出した位置が「中段」であり、「中段」に設置されている給紙カセットが給紙カセット４１ｂであるときには、開閉された給紙カセット４１ｂの用紙情報設定画面８１が液晶表示部５１に表示される。
【００３１】
（ステップＳ１０６）
ステップＳ１０４のＮｏにおいて、用紙情報画面処理部７１は、ステップＳ１０１で取り出した位置以外の開閉されなかった給紙カセットに対する用紙情報表示画面８２を液晶表示部５１に表示し、用紙情報画面処理を終了する。例えば、ステップＳ１０１で取り出した位置が「中段」であり、「中段」以外の「上段」及び「下段」に設置されている給紙カセットが給紙カセット４１ａ及び給紙カセット４１ｃであるときには、開閉されなかった給紙カセット４１ａ及び給紙カセット４１ｃの用紙情報表示画面８２が液晶表示部５１に表示される。
【００３２】
以上の用紙情報画面処理によれば、ユーザーが給紙カセットを開いて給紙カセットの用紙を補給又は入れ替えを行ってから給紙カセットを閉じると、紙紋変化検出センサーが紙紋の変化を検出するので、開閉した給紙カセットの用紙情報設定画面８１が表示される。これにより、ユーザーは忘れずに用紙のサイズや種類を変更することができる。また、ユーザーが用紙を補給又は入れ替えを行うときに誤って別の給紙カセットの開閉を行うと、紙紋変化検出センサーが紙紋の変化を検出しないので、開閉した給紙カセット以外の用紙情報表示画面８２が表示される。これにより、ユーザーは用紙を補給又は入れ替えを行う給紙セットに収納されている用紙のサイズや種類を容易に確認することができる。
【００３３】
なお、画像形成装置１が給紙カセット４１ａ、給紙カセット４１ｂ及び給紙カセット４１ｃの３台の給紙カセットを備えている実施形態について説明したが、これに限定されず、３台未満又は４台以上の給紙カセットを備える画像形成装置１にも適用することができる。また、給紙カセットを「上段」、「中段」及び「下段」の位置で識別したが、例えば、給紙カセットを上からの位置で「１段」、「２段」、「３段」及び「４段」などのように識別することも可能である。更に、給紙カセットが収納できる用紙の容量の大きさ順により「容量１」、「容量２」、「容量３」及び「容量４」などのように識別することも可能である。
【００３４】
また、実施形態においては、用紙情報設定画面８１及び用紙情報表示画面８２に給紙カセット名称を表示したが、これに限定されない。例えば、用紙情報設定画面８１及び用紙情報表示画面８２に給紙カセットの位置などを表示することも可能である。また、用紙情報設定画面８１及び用紙情報表示画面８２に給紙カセット名称と給紙カセットの位置の両方を表示することも可能である。このように、ユーザーがどの給紙カセットであるかを認識できる任意の識別情報の表示が可能である。
また、用紙情報設定画面８１は、用紙サイズ及び用紙種類以外の給紙カセット情報を設定することが可能である。
また、用紙情報表示画面８２は、給紙カセット名称、用紙サイズ及び用紙種類以外の給紙カセット情報を表示することが可能である。
【００３５】
また、実施形態においては、給紙カセットに収納されている用紙が補充または入れ替えられたときに紙紋の変化を検出する紙紋変化検出センサーを用いたが、紙紋の変化量も検出できる紙紋変化検出センサーを用いることも可能である。例えば、用紙の補充の際、補充された用紙の紙繊維パターンに応じた紙紋の変化量あるいは色の変化幅に応じた指紋の変化量なども検出できる紙紋変化検出センサーを用いることで、用紙情報画面処理部７１が紙紋変化検出センサーから紙紋変化検出通知と紙紋の変化量を入力し、紙紋の変化を検出した後に紙紋の変化量が予め設定された変化量以上であるかを判断し、予め設定された変化量以上のときだけ用紙情報設定画面８１を表示する。つまり、用紙を入れ替えると紙紋の変化量が予め設定された変化量以上になるので、用紙の補充であるか入れ替えであるかを判断することができ、用紙の補充であるときには用紙情報設定画面８１及び用紙情報表示画面８２を表示しないようにする。また、用紙の入れ替えであるときだけ用紙情報設定画面８１を表示し、用紙の補充でも入れ替えでもないときに、開閉された給紙カセット以外の給紙カセットに対応する用紙情報表示画面８２を表示することができる。
【００３６】
このような本発明の画像形成装置は、用紙のサイズや種類を設定する用紙情報設定画面を表示する必要があるかを判断し、必要があると判断されたときに用紙情報設定画面を表示することができる。
【００３７】
以上、具体的な実施の形態により本発明を説明したが、上記実施の形態は本発明の例示であり、この実施の形態に限定されないことは言うまでもない。
【産業上の利用可能性】
【００３８】
本発明は、画像形成装置に好適であるが、画像形成装置に限られるものではなく、ユーザーが操作を行う操作画面を表示する機器及び処理を備える装置一般に適用できる。
【符号の説明】
【００３９】
１・・・・・画像形成装置
１ａ・・・・画像形成装置
２・・・・・原稿読取部
３・・・・・原稿給送部
４・・・・・本体部
５・・・・・操作部
６・・・・・記録部
７・・・・・制御部
８・・・・・記憶部
９・・・・・通信部
１０・・・・・ネットワーク
１１・・・・・周辺機器
１２・・・・・ルーター
１３・・・・・インターネット
２１・・・・・スキャナー
２２・・・・・プラテンガラス
２３・・・・・原稿読取スリット
２４・・・・・光源
２５・・・・・受光部
３１・・・・・原稿載置部
３２・・・・・原稿排出部
３３・・・・・原稿搬送機構
４１ａ・・・・給紙カセット
４１ｂ・・・・給紙カセット
４１ｃ・・・・給紙カセット
４２ａ・・・・給紙カセットローラー
４２ｂ・・・・給紙カセットローラー
４２ｃ・・・・給紙カセットローラー
４３・・・・・用紙搬送路
４４・・・・・レジストローラー
４５・・・・・排出ローラー
４６・・・・・排出空間
５１・・・・・液晶表示部
５２・・・・・操作ボタン
６１・・・・・感光体ドラム
６２・・・・・帯電部
６３・・・・・露光部
６４・・・・・画像形成部
６５・・・・・転写部
６６・・・・・定着部
６７・・・・・クリーニング部
７１・・・・・用紙情報画面処理部
８１・・・・・用紙情報設定画面
８１ａ・・・・「給紙カセット名称」表示エリア
８１ｂ・・・・「用紙サイズ」入力エリア
８１ｃ・・・・「用紙種類」表示エリア
８１ｄ・・・・「用紙種類選択」操作エリア
８１ｅ・・・・「ＯＫ」ボタン
８２・・・・・用紙情報表示画面
８２ａ１・・・「給紙カセット名称」表示エリア
８２ａ２・・・「給紙カセット名称」表示エリア
８２ｂ１・・・「用紙サイズ」表示エリア
８２ｂ２・・・「用紙サイズ」表示エリア
８２ｃ１・・・「用紙種類」表示エリア
８２ｃ２・・・「用紙種類」表示エリア
８２ｄ・・・・「ＯＫ」ボタン
【図１】
0006319131.tif 000002
【図２】
0006319131.tif 000003
【図３】
0006319131.tif 000004
【図４】
0006319131.tif 000005
【図５】
0006319131.tif 000006